(57)【要約】  装置がレールに置かれたとき、レールと互換性を有するヒートシンクを含み、対応する一対のレール係合ウィンドウと整合する２つの係合ウィンドウを含むヒートシンクを含む装置が開示される。ハンドルはヒートシンクと係合し、そのハンドルは装置を保持位置および引込位置にすることを可能にする。第１ラッチおよび第２ラッチは横方向に対抗し、それぞれヒートシンクの第１空洞および第２空洞内に位置する。第１スプリングおよび第２スプリングは横方向に対抗し、ヒートシンクの第１空洞および第２空洞内にそれぞれ位置し、第１および第２スプリングはハンドルおよび第１および第２ラッチと係合し、ここで、装置が保持位置にあるとき、第１および第２スプリングは、各ラッチの第１ラッチ端をレール係合ウィンドウへ押圧し、ハンドルが装置を引込位置に置くために用いられるとき、第１および第２スプリングは、各ラッチの第１ラッチ端を収納する作用を行う。
2008538821.tif 000002
【特許請求の範囲】
【請求項１】
装置において、
レールと互換性をもつヒートシンクであって、前記ヒートシンクは、前記装置が前記レール中に位置するとき、対応する一対のレール係合ウィンドウと整合する２つの係合ウィンドウを含む、ヒートシンクと、
前記ヒートシンクと係合するハンドルであって、前記ハンドルは、前記装置を保持位置および引込位置にすることができる、ハンドルと、
横方向に対抗し、前記ヒートシンクの第１空洞および第２空洞内にそれぞれ位置する、第１ラッチおよび第２ラッチと、
横方向に対抗し、前記ヒートシンクの前記第１および第２空洞内にそれぞれ位置し、前記ハンドルおよび前記第１および第２ラッチと係合する第１および第２スプリングであって、ここで、前記装置が保持位置にあるとき、前記第１および第２スプリングは、各ラッチの第１ラッチ端を前記レール係合ウィンドウへ押圧し、前記ハンドルが前記装置を引込位置に置くために用いられるとき、前記第１および第２スプリングは、各ラッチの前記第１ラッチ端を収納する作用を行う、第１および第２スプリングと、
を含むことを特徴とする装置。
【請求項２】
前記装置が前記保持位置にあるとき、前記第１および第２スプリングは、前記第１および第２ラッチの前記第１ラッチ端を前記装置の縦中心線から離れる方向に押圧することを特徴とする請求項１記載の装置。
【請求項３】
前記ハンドルが前記装置から離れるとき、前記第１および第２スプリングは、前記装置の縦中心線の方へ前記第１および第２ラッチの回転を前記引込位置へ起動させることを特徴とする請求項１記載の装置。
【請求項４】
前記第１および第２ラッチは、第１および第２ナイフエッジ・ピボットをそれぞれ含むことを特徴とする請求項１記載の装置。
【請求項５】
保持位置にあるとき、前記装置は、自動ロックの幾何学的な配置を含むことを特徴とする請求項１記載の装置。
【請求項６】
前記自動ロックの幾何学的な配置は、前記第１ラッチに面する第１角度壁、および、前記第２ラッチに面する第２角度壁を含むことを特徴とする請求項５記載の装置。
【請求項７】
前記第１および第２ラッチ、前記第１および第２スプリング、および、前記ハンドルは、差し込み式のアセンブリを使用して係合することを特徴とする請求項１記載の装置。
【請求項８】
前記装置は、Ｘ２マルチソース合意（ＭＳＡ）に準拠するＸ２トランシーバ・モジュールを含むことを特徴とする請求項１記載の装置。
【請求項９】
ラッチング機構に係合するヒートシンクを含む光学装置において、前記ラッチング機構は、
前記ヒートシンクと係合するハンドルであって、前記ハンドルは、前記光学装置を前記保持位置と前記引込位置にすることを可能にする、ハンドルと、
横方向に対抗し、前記ヒートシンクの第１空洞および第２空洞内にそれぞれ位置する第１ラッチおよび第２ラッチと、
横方向に対抗し、前記ヒートシンクの第１および第２空洞内にそれぞれ位置する第１スプリングおよび第２スプリングであって、ここで、前記第１および第２ラッチ、前記第１および第２スプリング、および、前記ハンドルは、差し込み式アセンブリを使用して係合されることを特徴とする光学装置。
【請求項１０】
前記光学装置が保持位置にあるとき、前記第１および第２スプリングは、前記第１および第２ラッチを前記装置の縦中心線から離れる方向にそれぞれ押すことを特徴とする請求項９記載の装置。
【請求項１１】
前記光学装置が引込位置に置かれているとき、前記第１および第２スプリングは、前記第１および第２ラッチの収納を前記光学装置の縦中心線の方へ起動させることを特徴とする請求項９記載の光学装置。
【請求項１２】
前記第１および第２ラッチは、第１および第２ナイフエッジ・ピボットをそれぞれ含み、前記第１ナイフエッジ・ピボットは、前記第１空洞の第１くぼみ内で回転し、前記第２ナイフエッジ・ピボットは、前記第２空洞の第２くぼみ内で回転することを特徴とする請求項９記載の光学装置。
【請求項１３】
前記光学装置は、前記保持位置中にあるとき、自動ロックの幾何学的な配置を含むことを特徴とする請求項９記載の光学装置。
【請求項１４】
前記自動ロックの幾何学的な配置は、前記第１ラッチに面する前記第１空洞の第１角度壁、および、前記第２ラッチに面する前記第２空洞の第２角度壁を含むことを特徴とする請求項１３記載の装置。
【請求項１５】
前記第１および第２ラッチは、前記第１および第２空洞よりそれぞれ短く、前記ハンドルが前記保持位置と前記引込位置との間で移動するとき、前記第１および第２ラッチが前記光学装置の縦中心線に平行にシフトすることを可能にすることを特徴とする請求項１４記載の光学装置。
【請求項１６】
前記光学装置は、Ｘ２マルチソース合意（ＭＳＡ）に準拠したＸ２トランシーバ装置を含むことを特徴とする請求項９記載の光学装置。
【請求項１７】
光ファイバと、
レール内に位置し、前記光ファイバに結合されたトランシーバ・モジュールからなるシステムにおいて、前記トランシーバ・モジュールは、
対応する一対のレール係合ウィンドウに整合する２つの係合ウィンドウを含むヒートシンクと、
前記ヒートシンクと係合するハンドルであって、前記ハンドルは前記トランシーバ・モジュールの保持位置および引込位置にすることができる、ハンドルと、
横方向に対抗し、前記ヒートシンクの第１および第２空洞内にそれぞれ位置する、第１ラッチおよび第２ラッチと、
横方向に対抗し、前記ヒートシンクの前記第１および第２空洞内にそれぞれ位置し、前記ハンドルおよび前記第１および第２ラッチと係合する第１および第２スプリングであって、ここで、前記トランシーバ・モジュールが保持位置にあるとき、前記第１および第２スプリングは、各ラッチの第１ラッチ端を前記レール係合ウィンドウへ押圧し、前記ハンドルが前記トランシーバ・モジュールを引込位置に置くために用いられるとき、前記第１および第２スプリングは、各ラッチの前記第１ラッチ端を収納する作用を行う、第１および第２スプリングと、
を含むことを特徴とするシステム。
【請求項１８】
前記第１および第２ラッチ、前記第１および第２スプリング、および、前記ハンドルは、差し込み式のアセンブリを使用して係合することを特徴とする請求項１７記載のシステム。
【請求項１９】
前記システムは、スイッチを含み、前記レールは前記スイッチのホスト・ボードに結合されていることを特徴とする請求項１７記載のシステム。
【請求項２０】
前記トランシーバ・モジュールは、Ｘ２マルチソース合意（ＭＳＡ）に準拠するＸ２トランシーバ・モジュールを含むことを特徴とする請求項１７記載のシステム。
【発明の詳細な説明】
【技術分野】
【０００１】
本発明の実施例は、ラッチング機構の分野に関し、さらに詳しくは光学装置のラッチング機構に関するが、これに限定するものではない。
【背景技術】
【０００２】
光学ネットワークは、データと通信を伝送するために遠距離通信および企業ネットワークに使用される。光学信号は、高速で、優れた信号品質、および外からの電磁気エネルギーに対し最小の干渉を提供する。高密度波長分割多重（ＤＷＤＭ：Dense Wavelength Division Multiplexed）システムを利用する光学ネットワークは、同調可能なマルチチャネル光学リンクを提供する。そのような光学リンクは、毎秒１０ギガビット（Ｇｂ／ｓ）までのライン速度で動作することができる。
【０００３】
光学ネットワークは、光学ネットワークとサーバ、ホスト・システムおよび通信装置との間の信号を転送するためのスイッチを使用する。スイッチは、トランシーバのようないくつかの光学装置を含み、光学信号と電気信号との間の変換を行う。今日のスイッチでは、光学装置は、時には、ねじまたはファスナを使用して、ラツク内に搭載される。
【発明の開示】
【０００４】
本発明の制限的でなく、かつ網羅的ではない実施例が、以下の図面に関連して記載されるが、類似の参照数字は、別段の定めがない限り、様々な図を通して類似の部分に関連する。
【０００５】
以下の説明では、多数の特定の詳細事項が、本発明の実施例についての完全な理解を提供するために準備されている。関連する技術に熟達した者は、理解するであろうが、本発明の実施例は、１またはそれ以上の特定の詳細事項、あるいは他の方法、コンポーネント、材料等がなくても実施することができるであろう。他の例として、周知の構造、材料または動作は、本明細書の説明に対する理解を不明瞭にしないようにするために、詳細には示されず、あるいは説明されていない。
【０００６】
本明細書の全体にわたる「一実施例」または「ある実施例」への参照は、特定の特徴、構造または実施例に関して説明された特性が本発明の少なくとも１つの実施例に含まれていることを意味する。従って、「一実施例において」なる語句が本明細書の全体にわたって様々なところに現れるが、必ずしも全てが同じ実施例を参照しているものではない。更に、特定の機能、構造または特性が１またはそれ以上の実施例中で適切な方法で組み合わせられてもよい。
【０００７】
本発明の実施例は、「Ｘ２ＭＳＡ（マルチソース合意）、すなわち、小型汎用１０ギガビット・トランシーバ・パッケージに対する協力合意（A Cooperation Agreement for a Small Versatile 10 Gigabit Transceiver Package）」２００３年２月２８日、修正１．０ｂ（以下、「Ｘ２ＭＳＡ」という。）に準拠している。しかしながら本発明の実施例は、Ｘ２準拠のトランシーバ中に使用することに制限されることはなく、様々な光学装置中に使用されてもよいことが理解されるであろう。
【０００８】
図１から図４Ｂに移って、ラッチング機構１０３を有するトランシーバ１０２の実施例が示される。図１は、トランシーバ１０２の斜視平面図を示す。図２Ａは、トランシーバ１０２の斜視底面図を示す。図２Ｂは、トランシーバ１０２の分解底面図を示す。図３は、トランシーバ１０２の分解底面図を示す。図４Ａは、トランシーバ１０２の斜視図を示す。図４Ｂは、トランシーバ１０２の分解底面図を示す。「上部」および「底部」のような用語が参照する位置は、読者に明瞭にするためにここに使用されるが、トランシーバ１０２の配置または取付をあらゆる特定の位置付けに制限する意図ではないことを理解するであろう。図２Ａはトランシーバ１０２に縦中心線１９０を示すが、本発明の実施例についての説明のための参照としてここに使用されていることにさらに注目すべきである。
【０００９】
図１は、レール１２０を使用して、トランシーバ１０２のホスト・ボード１１８への係合を示す。Ｘ２ＭＳＡに準拠する実施例では、Ｘ２ＭＳＡは、レール１２０の形状を定義する。Ｘ２ＭＳＡ準拠のレール１２０は、ほぼ、７７ｍｍ幅、３７ミリメートル長、および、７ｍｍ高である。
【００１０】
レール１２０によって、トランシーバ１０２の上部表面の全長に亘って障害のない気流が認められる。トランシーバ１０２は、小型フェリフェラル・コンポーネント・インターフェイス（ＰＣＩ）ブレードのフロントパネル、中央ボード、または従来のＰＣＩに搭載される。レール１２０は、対抗する係合ウィンドウ１２２Ａ，１２２Ｂを含む。さらに以下議論されるように、ラッチ１０８Ａ，１０８Ｂは、係合ウィンドウ１２２Ａ，１２２Ｂにそれぞれはめ込まれ、トランシーバ１０２をレール１２０に固定する。レール１２０のタブ１３０Ａ，１３０Ｂは、トランシーバ１０２をレール１２０に整列させるために、対応するみぞ１０５Ａおよびヒートシンク１０４の反対側面の１０５Ｂに固定される。
【００１１】
トランシーバ１０２は、光学アセンブリ１１２およびプリント基板（ＰＣＢ）アセンブリ１１４に結合されたヒートシンク１０４を含む。一実施例において、ヒートシンク１０４は、金属でできた単一部片を含む。ヒートシンクは、光学アセンブリ１１２、ＰＣＢアセンブリ１１４およびラッチング機構１０３を保持するために形成される。
【００１２】
一般に、トランシーバ１０２は、光学信号と電気信号との間の変換を行う。光学アセンブリ１１２は、光学信号を送出しおよび受信するための光ファイバ、または他の光学導波路に接続される。ＰＣＢアセンブリ１１４は、電気信号を送出しおよび受信するためのソケット１１６に接続される。ＰＣＢアセンブリ１１４は、ソケット１１６に入るボードエッジ・コネクタ１２４を含む。
【００１３】
図２Ｂを参照して、ラッチ機構１０３は、ハンドル１０６、対抗するラッチ１０８Ａ，１０８Ｂ、および、対抗するスプリング１１０Ａ，１１０Ｂを含む。ラッチ１０８Ａ，１０８Ｂ、および、スプリング１１０Ａ，１１０Ｂは、ヒートシンク１０４の空洞１４０Ａ，１４０Ｂへ入る。ハンドル１０６の一部は、空洞１４０Ａ，１４０Ｂの底部のくぼみに入る。
【００１４】
一実施例において、ラッチ１０８Ａ，１０８Ｂは各々射出成形を使用して、単一のプラスチック部分として成型される。他の実施例では、ハンドル１０６は、プラスチック射出成形を使用して成型される。さらに他の実施例では、スプリング１１０Ａ，１１０Ｂは板金から形成される。
【００１５】
ラッチ１０８Ａ，１０８Ｂ、および、スプリング１１０Ａ，１１０Ｂは同一である。従って、「左」も「右」部分もないが、しかし、ラッチとスプリングは交換可能である。このような設計は、ラッチとスプリングがラッチング機構１０３の各サイドに適合するように製造されるので、製造原価を減少させ、早くかつ容易に組み立てを行うことができる。対称なラッチおよびスプリングは、さらに不都合な組み立ての発生を減少させる。本発明の実施例では、ラッチ１０８Ａのようにラッチング機構１０３の「Ａ」側に関して議論され、またラッチ１０８Ｂのようにラッチング機構１０３の「Ｂ」側に関して議論されることを理解すべきであろう。
【００１６】
ラッチ１０８Ａは、ナイフエッジ・ピボット１０９Ａを含む。一実施例において、ナイフエッジ・ピボット１０９Ａの上部および底部は、空洞１４０Ａのくぼみに入る隆起突出部を含む（さらに以下議論される）。隆起突出部は、ラッチ１０８Ａの上部および底部上にある。一実施例において、ラッチ１０８Ａは、個別の軸片を利用しない単一のプラスチック片である。ラッチ１０８Ｂは、対応するナイフエッジ・ピボット１０９Ｂを含む。
【００１７】
ラッチ１０８Ａは、さらにトランシーバ１０２の保持のために係合ウィンドウ１２２Ａを通って適合するラッチ端１１１Ａを含む。ハンドル１０６は、スプリング１１０Ａ，１１０Ｂの一方端を収容するためのスロット１０７Ａ，１０７Ｂをそれぞれ含む。ラッチ１０８Ａおよびスプリング１１０Ａは、ヒートシンク１０４の空洞１４０Ａに入る。ラッチ１０８Ｂおよびスプリング１１０Ｂは、空洞１４０Ｂに入る。
【００１８】
図３を参照して、完全に組み立てられた際に、ＰＣＢカバー１５０は、ＰＣＢアセンブリ１１４および光学アセンブリ１１２の一部を覆う。光学アセンブリ・カバー１５２は、光学アセンブリ１１２の一部を覆う。一実施例において、ラッチ１０８Ａ，１０８Ｂおよびスプリング１１０Ａ，１１０Ｂは、ＰＣＢカバー１５０によって空洞１４０Ａ，１４０Ｂ内に確保される。従って、ラッチング機構１０３のコンポーネントは、接着剤または固定具を使用して互いに取り付けられることはないが、空洞１４０Ａ，１４０Ｂ内でともに固定される。
【００１９】
一実施例において、ラッチ機構１０３は、差し込み式アセンブリを使用してもよい。接着剤、ねじ、固定具またはその他同種のものは、ラッチング機構１０３のコンポーネントを接続するためには使用されない。ラッチ１０８Ａは空洞１４０Ａに入れられる。その後、スプリング１１０Ａは、スプリング１１０Ａの一方端がスロット１０７Ａに差し込まれて、空洞１４０Ａ内に配置される。従って、ラッチ１０８Ａ、および、スプリング１１０Ａは、それぞれトランシーバ１０２の保持および引込のために係合するが、ラッチ１０８Ａ、および、スプリング１１０Ａは、係合されることはない。同様に、スプリング１１０Ａは、ハンドル１０６に係合されることはないが、むしろスロット１０７Ａによってハンドル１０６に係合される。
【００２０】
ここに説明されたラッチング機構の実施例は、高価でない部品を使用することができる。さらに、これらの部品は、ラッチング機構１０３に素早くかつ簡単に組み立てることができる。より短い組み立て時間は、製造原価をより低下させることに一致する。一実施例において、高い品数（例えば２００，０００個）での製造は、ラッチング機構（つまり、ハンドル１０６、スプリング１１０Ａ，１１０Ｂ、および、ラッチ１０８Ａ，１０８Ｂ）に対し約１．４０ドルかかると推測される。
【００２１】
図５、図６Ａ、図６Ｂ、図６Ｃ、図７Ａ、図７Ｂおよび図７Ｃに移って、ラッチング機構１０３の実施例の機能が、議論されるであろう。図５は、ハンドル１０６、および、ラッチ１０８Ａおよびスプリング１１０Ａのないヒートシンク１０４の底面図を示す。図６Ａ−図６Ｃは、トランシーバ１０２を保持するためにトランシーバ１０２をレール１２０に押し込む実施例を図示する。図７Ａ−図７Ｃは、ラッチング機構１０３を使用して、レール１２０からトランシーバ１０２を引き出す実施例を示す。図５、図６Ａ−図６Ｃ、および、図７Ａ−図７Ｃは寸法どおりに描かれているものではなく、必ずしも比例しているものでもないことを理解すべきである。ラッチ１０８Ａおよびスプリング１１０Ａの実施例は以下議論されているが、対抗するラッチ１０８Ｂおよびスプリング１１０Ｂが同様の方法で動作することを理解すべきであろう。
【００２２】
図５へ移って、空洞１４０Ａは、ラッチ１０８Ａを受け入れるためのくぼみ５０２Ａを含む。一実施例において、くぼみ５０２Ａは、ナイフエッジ・ピボット１０９Ａの隆起突出部を受け入れる、ヒートシンク１０４に成型された同一形状部である。ハンドル１０６は、スロット１０７Ａを含む。点線で５０６と示されたハンドル１０６の一部分は、空洞１０４の底部とほぼ同じ高さにある。ラッチ１０８Ａおよびスプリング１１０Ａは、ハンドル部５０６上にのる。
【００２３】
図６Ａは、トランシーバ１０２がレール１２０に押し込まれているときのラッチング機構１０３の底面図を示す。トランシーバ１０２の溝１０５Ａ，１０５Ｂは、レール１２０の対応するタブ１３０Ａ，１３０Ｂに沿って並ぶ。ラッチ１０８Ａのラッチ端１１１Ａがレール１２０に達する前に、ラッチ端１１１Ａは、スプリング１１０Ａからのスプリング力によってヒートシンク１０４からはみ出す。例えば、図１では、ラッチ１０８Ａのラッチ端１１１Ａは、ヒートシンク１０４から張り出す。
【００２４】
図６Ａでは、レール１２０の一部分は、ラッチ１０８Ａをヒートシンク１０４の空洞１４０Ａへ押すと、ラッチ端１１１Ａを押し出す。ラッチ１０８Ａは、空洞１４０Ａに戻すとき、ナイフエッジ・ピボット１０９Ａの回りを軸回転する。ナイフエッジ・ピボット１０９Ａは、くぼみ５０２Ａ内で回転する。
【００２５】
図６Ｂに移って、ラッチング機構１０３は保持位置にある。ラッチ端１１１Ａは、ヒートシンク１０４からレール１２０の係合ウィンドウ１２２Ａに押し出す。スプリング１１０Ａのスプリング力は、ラッチ１０８Ａを押圧し、ラッチ１０８Ａを保持位置に維持する。
【００２６】
一実施例において、ラッチング機構１０３は、トランシーバ１０２に加えられた引き出し力に対する幾何学的な自動ロック状態を含む。一実施例において、この自動ロックの幾何学的配列は、角度壁６０２を含む。角度壁６０２は、ヒートシンク１０４の壁であり、ハンドル１０６に対抗する空洞１４０Ａの壁としても作用する。
【００２７】
角度壁６０２は、ラッチ・ウィンドウ５０４を広げるためにハンドル１０６に対し角度を有する。図６Ｃは、角度壁６０２と基準線６０４との間で形成された角度６０６を示し、ここで基準線６０４はトランシーバ１０２の縦中心線１９０に対し垂直である。一実施例において、角度壁６０２の角度６０６はおよそ２度である。
【００２８】
角度壁６０２は、トランシーバ１０２の保持を助ける。ラッチング機構１０３の引き出しモードを使用せずに、トランシーバ１０２が移動すると、そのとき、角度壁６０２は、ラッチ１０８Ａを縦中心線１９０から離れ、係合ウィンドウ１２２Ａへ導く。ラッチ１０８Ａは、係合ウィンドウ１２２Ａへより容易に移動し、そのとき空洞１４０Ａへ戻るために角度壁６０２に対して回動する。
【００２９】
自動ロックの幾何学的配列の別の実施例では、ラッチ１０８Ａは、空洞１４０Ａよりわずかに短い長さである。さらに、くぼみ５０２Ａは、ラッチ・ナイフエッジ・ピボット１０９Ａのピボット隆起より大きい。この実施例では、ラッチ１０８Ａは、空洞１４０Ａ内でわずかにシフトする。ラッチング機構１０３の保持モードにおいて、ラッチ１０８Ａのこの「少しの遊び」は、トランシーバ１０２の保持中の助けとなる。図６Ｂに関して、トランシーバ１０２がハンドル１０６を使用しないで、レール１２０から引き出すとき、ラッチ端１１１Ａはレール壁６０８を押しつける。ラッチ１０８Ａの「少しの遊び」は、空洞１４０Ａ（くぼみ５０２Ａ）内のラッチ１０８Ａをシフトすることができ、その結果ラッチ１０８Ａは、角度壁６０２を押す。従って、ラッチ１０８Ａと角度壁６０２との間の摩擦によって、ラッチ１０８Ａが空洞１４０Ａへ移動するのを妨げることになる。以下議論されるように、ラッチ１０８Ａと角度壁６０２との間のこの摩擦は、ラッチング機構１０３を使用して、トランシーバ１０２の引き出し中に開放される。
【００３０】
図７Ａ−図７Ｃに移って、トランシーバ１０２の引き出しが示される。図７Ａでは、ハンドル１０６は、レール１２０からトランシーバ１０２を取り除くために引かれている。ハンドル１０６が引かれると、スプリング端７１０Ａは、ラッチ１０８Ａに沿って引きずられる。図７Ａでは、スプリング１１０Ａは、点線によって示された保持位置から開始する。スプリング１１０Ａがラッチ１０８Ａに沿って移動する間、ラッチ端１１１Ａは、ヒートシンク１０４から伸びていることに注目すべきである。
【００３１】
図７Ｂに移って、スプリング端７１０Ａはラッチ端７０８Ａに達する。ラッチ端１１１Ａがヒートシンク１０４から係合ウィンドウ１２２Ａにいまだ伸びていることが注目される。スプリング端７１０Ａがラッチ端７０８Ａを乗り越えないように、ラッチ端７０８Ａは勾配のある終端を有する。
【００３２】
図７Ｃを参照して、ハンドル１０６は、ラッチ１０８Ａの収納を始動させるためにわずかに引かれる。起動中に、スプリング端７１０Ａは、ラッチ端７０８Ａを押す。ラッチ１０８Ａは、ナイフエッジ・ピボット１０９Ａでピボット回転を行い、空洞１４０Ａへ振り戻される。この時点で、トランシーバは、もはやレール１２０によって保持されておらず、レール１２０から完全に引き出され得る。
【００３３】
自動ロックの幾何学的配置を有するラッチング機構１０３の実施例中において、ラッチ１０８Ａの「少しの遊び」は、さらに図７Ｂおよび図７Ｃ中に示されるような保持から引込への移行を助ける。図７Ｂでは、ラッチ１０８Ａは、ラッチ１０８Ａを角度壁６０２から移動し、わずかに左へシフトさせ、その結果ラッチ１０８Ａは角度壁６０２に触れないようになる。従って、図７Ｃに示されるように、ラッチ１０８Ａが引込位置へピボット回転するとき、ラッチ１０８Ａは角度壁６０２にこすれずに空洞１４０Ａへ自由に振り戻される。
【００３４】
スプリング１１０Ａは、２つの機能を提供することが認識されるであろう。
ラッチング機構１０３の保持モードでは、スプリング１１０Ａは、ラッチ１０８Ａを係合ウィンドウ１２２Ａに押し込むスプリング機能を提供する。引込モードにおいては、スプリング１１０Ａは、ラッチ１０８Ａの引込へのハンドル１０６の動きを、ヒートシンク１０４へ変換するためのアクチュエータとして作用する。
【００３５】
ラッチング機構１０３の実施例は、接着剤、保持具またはその他同種のものを使用しないで、対応するレール中に光学装置を保持するためのメカニズムを提供する。一実施例において、ラッチング機構１０３は、差し込み式のアセンブリを使用して構築されてもよい。別の実施例では、ラッチング機構１０３のコンポーネントは、対称的であり、従って製造するために安価である。
【００３６】
図８に移って、ここに説明されるようなラッチング機構を利用するシステム８００が図示される。スイッチ８０２は、光学リンク８０３によって光学ネットワーク８０４に接続される。一実施例において、光学リンク８０３は、１またはそれ以上の光ファイバを含む。スイッチ８０２は、１またはそれ以上のコンピュータ・システム８０６、および／または、１またはそれ以上の電話装置８０８に接続される。スイッチ８０２は、光学ネットワーク８０４の光学信号と、コンピュータ・システム８０６および電話機装置８０８によって使用される電気信号との間で変換を行う。コンピュータ・システム８０６は、ルータ、サーバ、ホスト、または同種のものを含む。一実施例において、システム８００は、高密度波長分割多重（ＤＷＤＭ）システムを含む。
【００３７】
スイッチ８０２は、ここに説明されるようなラッチング機構を有する１またはそれ以上のトランシーバ８１０を含む。一実施例において、トランシーバ８１０は、Ｘ２ＭＳＡに準拠するトランシーバを含む。
【００３８】
トランシーバ８１０は、光学リンク８０３を使用して、光学信号を光学ネットワーク８０４へ送信し／から受信するための光学インターフェイス８２２を含む。光学インターフェイス８２２は、光学受信機８１８および光学送信機８２０に結合される。光学受信機８１８および光学送信機８２０は、物質媒体接続（ＰＭＡ：Physical Medium Attachment）８１４に結合される。ＰＭＡ８１４は、マルチプレクサ／デマルチプレクサを含む。マルチプレクサは、多重チャネルを光学送信機８２０によって送信される連続したデータ伝送へインターリーブする一方、デマルチプレクサは、光学受信機８１８から受信した連続したデータ伝送を２またはそれ以上のチャネルへ分離する。
【００３９】
ＰＭＡ８１４は、また電気的なインターフェイス８１２に結合される。電気的なインターフェイス８１２は、トランシーバ８１０をスイッチ８０２のホスト・ボードに電気的に接続するために使用される。一実施例において、電気的なインターフェイス８１２は、ボードエッジ・コネクタを含む。
【００４０】
コントロール・システム８１６は、電気的なインターフェイス８１２、ＰＭＡ８１４、光学受信機８１８、および、光学送信機８２０に結合される。一実施例において、コントロール・システム８１６は、マイクロコントローラを使用して実施される。コントロールシステム８１６は、環境温度の変化またはスイッチ８０２の構成の変化に基づいて、トランシーバ８１０のコンポーネントに対し調整を行う。
【００４１】
図示された本発明の実施例の上記説明は、要約で記述されたものを含み、網羅的であることを意図するものではなく、また実施例を記述された形式に正確に限定する意図はない。本発明の特定の実施例、および本発明の具体例は、図示の目的でここに記述され、当業者が認識するように均等の範囲の様々な修正は可能である。これらの修正は、上記詳細な説明に照らして本発明の実施例に行うことができる。次の請求項で使用される用語は、本発明を明細書に示された特定の実施例に制限するためには解釈されるべきではない。むしろ、次の請求項は、請求項解釈の確立した原理に従って解釈されるべきである。
【図面の簡単な説明】
【００４２】
【図１】本発明の一実施例に従うラッチング機構の斜視図である。
【図２Ａ】本発明の一実施例に従うラッチング機構の斜視図である。
【図２Ｂ】本発明の一実施例に従うラッチング機構の分解組立図である。
【図３】本発明の一実施例に従うラッチング機構の分解組立図である。
【図４Ａ】本発明の一実施例に従うラッチング機構の斜視図である。
【図４Ｂ】本発明の一実施例に従うラッチング機構の分解組立図である。
【図５】本発明の一実施例に従うラッチング機構のブロック図である。
【図６Ａ】本発明の一実施例に従うラッチング機構のブロック図である。
【図６Ｂ】本発明の一実施例に従うラッチング機構のブロック図である。
【図６Ｃ】本発明の一実施例に従うラッチング機構を保持するヒートシンクの角度のある壁のブロック図である。
【図７Ａ】本発明の一実施例に従うラッチング機構のブロック図である。
【図７Ｂ】本発明の一実施例に従うラッチング機構のブロック図である。
【図７Ｃ】本発明の一実施例に従うラッチング機構のブロック図である。
【図８】本発明の一実施例に従うラッチング機構を含むシステムのブロック図である。
【図１】
2008538821.tif 000003
【図２Ａ】
2008538821.tif 000004
【図２Ｂ】
2008538821.tif 000005
【図３】
2008538821.tif 000006
【図４Ａ】
2008538821.tif 000007
【図４Ｂ】
2008538821.tif 000008
【図５】
2008538821.tif 000009
【図６Ａ】
2008538821.tif 000010
【図６Ｂ】
2008538821.tif 000011
【図６Ｃ】
2008538821.tif 000012
【図７Ａ】
2008538821.tif 000013
【図７Ｂ】
2008538821.tif 000014
【図７Ｃ】
2008538821.tif 000015
【図８】
2008538821.tif 000016
【国際調査報告】
2008538821.tif 000017
2008538821.tif 000018